(57)【要約】      （修正有）【課題】太陽の光がない状態においても、道案内用標識を確認することが出来、安価で、修復が容易な道案内用標識を提供する。【解決手段】案内板１と、前記案内板を支柱２に固定する固定部材３とより成る道案内用標識において、前記案内板が蓄光材層を有することを特徴とする。【選択図】図６
0003137389.tif 000002
【実用新案登録請求の範囲】
【請求項１】
案内板（１）と、前記案内板（１）を支柱（２）に固定する固定部材（３）とより成る道案内用標識において、前記案内板（１）が蓄光材層（１１）を有することを特徴とする道案内用標識。
【請求項２】
前記蓄光材層（１１）が無黄変透明ウレタンに高輝度蓄光材を混合して成形したものであることを特徴とする請求項１記載の道案内用標識。
【請求項３】
前記案内板（１）の表面に光触媒塗装透明層（１２）を設けたことを特徴とする請求項１または２記載の道案内用標識。
【請求項４】
前記固定部材（３）が、前記支柱（２）に着脱自在に取付けるための支柱取付部（３１）と、前記支柱取付部（３１）と一体となった、前記案内板（１）を取付けるための案内板取付部（３２）とよりなることを特徴とする請求項１〜３いずれか一項記載の道案内用標識。
【請求項５】
前記案内板取付部（３２）の上面（３２１）に鳥よけ部材（３２２）が設けられていることを特徴とする請求項４記載の道案内用標識。
【請求項６】
前記支柱取付部（３１）の上面（３１１）にコンパス用載置部（３１１１）が設けられていることを特徴とする請求項４記載の道案内用標識。
【請求項７】
前記支柱（２）の側面に、方角を示す支柱マーク（２１）が形成されていることを特徴とする請求項１〜６いずれか一項記載の道案内用標識。
【請求項８】
前記道案内用標識が登山道に設置されていることを特徴とする請求項１〜７いずれか一項記載の道案内用標識。
【考案の詳細な説明】
【技術分野】
【０００１】
本考案は、道案内用標識に関するものである。
特に、本考案は、山岳部や自然公園などに設置されて当該エリアの案内や歩行ルートの行先案内を表示する道案内用標識に関する。
【背景技術】
【０００２】
山岳部や自然公園などでは、歩行ルートの分岐点などに道案内用標識を設置し、この道案内用標識によって、周辺エリアの案内や歩行ルートの行先などを表示して、登山者に正しいルートを知らせている。
【０００３】
従来の道案内用標識は、登山者の道案内として設けられ、歩行ルートの分岐点などの土、岩場などに設けた木製の支柱と、各歩行ルートの行先表示等が明記され、支柱の上部側に取り付けた案内板とを備えている。
【０００４】
近年、登山を愛好する中高年者が増加し、必ずしも経験豊富で、豊かな登山知識を持つ人がリーダシップを発揮して、登山を楽しんでいるとは限らず、むしろ初心者による登山が多くなっている。
このため、登山計画の見込み違いや登山ルートの誤認、悪天候などによって予定時間を超過し、夜間の登山を実行せざる得ないアクシデントが数多く発生している。
【０００５】
しかしながら、このようなアクシデントが発生しても、従来の道案内用標識では、太陽光がある昼間の時間帯に、道案内用標識に書き込まれた内容を登山者に見せるものであることから、太陽の光がない状態で案内することができない。
特に、初心者の場合、懐中電灯を携帯していない場合が少なくなく、この様な場合、従来の道案内用標識は全くその役目を果たさなかった。
【０００６】
そこで、このような問題を解決する方法として、道案内用標識の案内板に照明装置を取り付けて、夜間でも、案内板の内容が見えるようにしたり、太陽電池パネルで昼間発電した電気を蓄電池に蓄積して、夜間点灯することが提案された。（特開２０００−２９４１２号公報）
【０００７】
しかしながら、道案内用標識に照明装置を取り付けたり、太陽電池パネルを利用する場合、大がかりな工事が必要で、費用が嵩む問題を惹起した。
更に、道案内用標識が、悪戯により方向を変えられたり、地震、台風等の自然災害により倒れた場合には、道案内用標識を元の正しい方向に修復することが困難であった。
また、道案内用標識が鳥の糞等で汚され、見え難くなる問題も招来していた。
【０００８】
【特許文献１】特開平６−１５５１４４号公報
【考案の開示】
【考案が解決しようとする課題】
【０００９】
本考案は上記したような事情に鑑みてなされたものであり、太陽の光がない状態においても、道案内用標識を確認することが出来、安価で、修復が容易な道案内用標識を提供することを目的とする。
【課題を解決するための手段】
【００１０】
上記目的を達成するために本考案に係る道案内用標識にあっては、案内板と、前記案内板を支柱に固定する固定部材とより成る道案内用標識において、前記案内板が蓄光材層を有することを特徴とする。
【考案の効果】
【００１１】
本考案は、以下に記載される効果を奏する。
請求項１記載の考案の道案内用標識によれば、安価で、太陽の光がない状態においても、道案内用標識を確認することが出来る蓄光式標識板を提供できる。
【００１２】
請求項２記載の考案の道案内用標識によれば、日没から夜明けまで道案内用標識を確認することが出来る。
請求項３記載の考案の道案内用標識によれば、案内板が汚染され難い。
【００１３】
請求項４記載の考案の道案内用標識によれば、案内板を支柱に確実に固定保持出来る。
請求項５記載の考案の道案内用標識によれば、案内板が鳥の糞等で汚染されることがない。
【００１４】
請求項６記載の考案の道案内用標識によれば、支柱がずれたり、倒れたりした場合、元の状態に修復することが容易である。
請求項７記載の考案の道案内用標識によれば、コンパスがなくとも、登山者が凡その方向が判る。
請求項８記載の考案の道案内用標識によれば、電源の無い登山道において特に有効である。
【考案を実施するための最良の形態】
【００１５】
以下、本考案を実施するための最良の形態について説明する。
図１乃至図６に基づき考案を実施するための最良の形態について説明する。
図１は、本考案の実施例に係る道案内用標識の案内板を示す正面図である。
図２は、図１のＡ−Ａ断面図である。
図３は、本考案の道案内用標識に使用される固定部材の正面図である。
図４は、図３の上面図である。
図５は、本考案の道案内用標識に使用される支柱の正面図である。
図６は、本考案の道案内用標識の組立図である。
【００１６】
本考案に係る道案内用標識は、案内板１と、この案内板１を支柱２に固定する固定部材３とより構成されている。
そして、この案内板１は、図１及び図２に示す様に、塗装鋼板材製の裏板１３と、白色反射層１４と、蓄光材層１１と、意匠印刷用透明層１５と、光触媒塗装透明層１２とが順次積層され、保持用枠１６により一体化され保持されている。
【００１７】
この白色反射層１４は、熱硬化性無黄変ウレタンプレポリマーに白色顔料を添加し、アミン系架橋剤と共に混合した当該ウレタン材を遠心成形機に投入して白色反射層１４を形成させる。
また、蓄光材層１１は、樹脂材に蓄光材を混合して成形したものである。
ここで使用される蓄光顔料は、蓄光顔料の平均粒径が５０〜２５０μｍのものが好ましく、特に１００μｍ以上の高輝度仕様であることが望ましい。
また、使用される樹脂材には、ウレタン系樹脂、ポリエステル系樹脂、シリコーン樹脂、アクリル樹脂等が適宜選択して用いられるが、無黄変透明ポリウレタンが特に好ましい。
また、案内板１の表面には、光触媒塗装透明層１２が設けられているため、案内板１が汚染されることを効果的に阻止できる。
【００１８】
更に、保持用枠１６の四隅には、案内板１を固定部材３に取付けるための固定用ボルト孔１７、１７、１７、１７が設けられている。
更に、意匠印刷用透明層１５の表面には、山小屋等の意匠１８が施され、道案内をする。
一方、案内板を保持する固定部材３は、図３及び図４に示す様に、支柱２に着脱自在に取付けるための、円筒状の支柱取付部３１と、この支柱取付部３１と一体となった、案内板１を取付けるための案内板取付部３２とより構成されている。
この案内板取付部３２の四隅には、案内板１に設けた固定用ボルト孔１７に対応した固定用ボルト孔３３が設けられている。
また、案内板取付部３２の上面３２１には、針金状の鳥よけ部材３２２が４本固定保持されている。
【００１９】
更に、図４に示す様に、支柱取付部３１の上面３１１には、コンパス３４を置くためのコンパス用載置部３１１１が設けられている。
また、支柱取付部３１の側面には、固定部材３を支柱２に固定する為の木ネジ用孔３５が形成されている。
【００２０】
一方、支柱２は、図５に示す様に、木に似せた再生プラスチック製の円柱状の本体２２と、一端が本体２２に埋設され、他端が地中に埋設される固定部材２３とより構成されている。
この固定部材２３は、鋼管材製の固定部材本体２３１と、この固定部材本体２３１と直行する形で、固定部材本体２３１に取付けられている寝かせ棒２３２とより構成されている。
また、支柱２の本体２２の側面には、方角を示す支柱マーク２１が形成されている。
通常、この支柱マーク２１は、北の方角を指し示す形に設置される
【００２１】
一方、これらの部材は、図６に示す様に、組立てられ、固定部材２３が地中Ｇに埋設され使用される物である。
この様な道案内用標識は、登山道に設置されて使用されると特に有効で有る。
【図面の簡単な説明】
【００２２】
【図１】本考案の実施例に係る道案内用標識の案内板を示す正面図である。
【図２】図１のＡ−Ａ断面図である。
【図３】本考案の道案内用標識に使用される固定部材の正面図である。
【図４】図３の上面図である。
【図５】本考案の道案内用標識に使用される支柱の正面図である。
【図６】本考案の道案内用標識の組立図である。
【符号の説明】
【００２３】
１    案内板
２    支柱
３    固定部材
１１  蓄光材層
１２  光触媒塗装透明層
１３  裏板
１４  白色反射層
１５  意匠印刷用透明層
１６  保持用枠
１７  固定用ボルト孔
１８  意匠
２１  支柱マーク
２２  本体
２３  固定部材
３１  支柱取付部
３２  案内板取付部
３３  固定用ボルト孔
３４  コンパス
３５  木ネジ用孔
【図１】
0003137389.tif 000003
【図２】
0003137389.tif 000004
【図３】
0003137389.tif 000005
【図４】
0003137389.tif 000006
【図５】
0003137389.tif 000007
【図６】
0003137389.tif 000008